(57)【要約】無線カード（１０２ａ〜１０２ｃ）と指紋認証装置（バイオメトリック認証装置）（１０４ａ〜１０４ｃ）により乗客を認証するエレベータのセキュリティシステムにおいて、その認証のためのデータは制御装置（１０６ａ〜１０６ｃ）内のデータベース（２０３ａ〜２０３ｃ）に保持されている。ここで、新たな乗客の指紋パターンを登録するなど、データを更新する必要が生じた場合に、管理者が所持する携帯型の端末装置である登録ユニット（１３０）を用いて更新データを生成する。そして、所定の場所で登録ユニット（１３０）を制御装置（１０６ａ〜１０６ｃ）に接続することにより、上記更新データを制御装置（１０６ａ〜１０６ｃ）に送信してデータベース（２０３ａ〜２０３ｃ）の内容を書き換える。【特許請求の範囲】
【請求項１】
エレベータを利用する乗客を認証するエレベータのセキュリティシステムにおいて、
エレベータを利用する乗客によって所持され、その乗客の利用階情報が記憶された無線カードと、
乗客のバイオメトリック情報を読み取る認証装置と、
上記無線カードおよび上記認証装置による乗客の認証に必要なデータを記憶したデータベースを有し、このデータベースを参照して乗客を認証し、当該乗客の利用階情報に基づいてエレベータの行先階を制御する制御装置と、
所定の操作により上記データベースを更新するためのデータを生成し、所定の場所で上記制御装置に接続された状態で上記更新データを上記制御装置に送信して上記データベースの内容を書き換える機能を備えた持ち運び可能な端末装置と
を具備したことを特徴とするエレベータのセキュリティシステム。
【請求項２】
上記端末装置は、
上記データベースと同じデータを保持する記憶手段と、
新たな乗客のバイオメトリック情報を上記記憶手段に登録する登録手段とを備え、
所定の場所で上記制御装置に接続されたときに、上記登録手段によってバイオメトリック情報を登録した後の上記記憶手段のデータを更新データとして上記制御装置に送って上記データベースに反映させることを特徴とする請求項１記載のエレベータのセキュリティシステム。
【請求項３】
上記端末装置は、
上記データベースと同じデータを保持する記憶手段と、
既に登録された乗客のバイオメトリック情報を上記記憶手段から削除する削除手段とを備え、
所定の場所で上記制御装置に接続されたときに、上記削除手段によってバイオメトリック情報を削除した後の上記記憶手段のデータを更新データとして上記制御装置に送って上記データベースに反映させることを特徴とする請求項１記載のエレベータのセキュリティシステム。
【請求項４】
上記端末装置は、
上記データベースと同じデータを保持する記憶手段と、
認証を禁止すべき無線カードの情報を上記記憶手段に設定するカード禁止手段とを備え、
所定の場所で上記制御装置に接続されたときに、上記カード禁止手段による認証禁止設定後の上記記憶手段のデータを更新データとして上記制御装置に送って上記データベースに反映させることを特徴とする請求項１記載のエレベータのセキュリティシステム。
【請求項５】
上記端末装置は、
上記データベースと同じデータを保持する記憶手段と、
この記憶手段の中で管理者扱いにするデータを設定する管理者設定手段とを備え、
所定の場所で上記制御装置に接続されたときに、上記管理者設定手段による管理者設定後の上記記憶手段のデータを更新データとして上記制御装置に送って上記データベースに反映させることを特徴とする請求項１記載のエレベータのセキュリティシステム。
【請求項６】
上記端末装置は、
上記記憶手段に現在登録されている内容を所定の形式で画面上に表示する表示手段を備えていることを特徴とする請求項２乃至５のいずれかに記載のエレベータのセキュリティシステム。
【請求項７】
上記端末装置は、
上記制御装置に接続されていない状態で、異常検査の対象となる無線カードの情報を読み取り、その読み取り結果を検査結果として表示する表示手段を備えていることを特徴とする請求項１記載のエレベータのセキュリティシステム。
【発明の詳細な説明】
【技術分野】
【０００１】  本発明は、無線カードとバイオメトリック認証装置（例えば、指紋認証装置）を統合可能な共通制御盤を備えたエレベータのセキュリティシステムに関する。
【背景技術】
【０００２】  近年、中高層ビルのセキュリティを確保するため、例えば特開平１１−１１８０７号公報や特開平１１−２８６３７８号公報に開示されているように、エレベータを利用する乗客を無線カードや指紋により認証するエレベータのセキュリティシステムが開発されている。【０００３】  このようなセキュリティシステムでは、例えば無線カードを紛失した場合には、直ぐにそのカードを利用できないように設定しておく必要がある。また、指紋認証では、引っ越しなどで頻繁に入れ替わる利用者の指紋パターンを登録・削除する日頃のメンテナンスが必要である。【０００４】  ここで、無線カードや指紋認証に必要なデータは例えば階のホール毎に設けられた制御装置内のデータベースに保持されている。上述したような理由で、このデータベースの内容を更新する必要が生じた場合、通常、管理者が利用者と共に認証装置の設置場所に行き、そこで所定の更新作業を行うことになる。【０００５】  ところが、このデータベースの更新作業はエレベータの各号機毎に行う必要がある。このため、例えば複数台のエレベータが並設されたビルであると、管理者と利用者がこれらの号機毎に認証装置の設置場所に行って同じ作業を繰り返さなければならない。すなわち、例えば指紋パターンの登録を行うべき利用者が１００人といたとすると、その１００人の利用者全員が各号機毎に指紋認証装置が設置されている場所に出向き、そこで各自の指紋パターンを登録していくといった作業が必要となる。【０００６】  また、このようにして登録されたデータは、上記制御装置内のデータベースに保存されている。しかし、何らかの原因で制御装置が故障してデータベース内のデータが消滅してしまった場合、管理者と利用者が指紋パターンを再登録するなどの面倒な作業を行わなければならず、両者に多大な負担をかけてしまうことになる。【０００７】  また、無線カードを用いたセキュリティシステムでは、異常が生じた場合に、その原因が無線カード側にあるのか、システム側にあるのかが直ぐに分からない。このため、管理者は保守会社に連絡して原因を早急に調べてもらうことになる。その結果、例えば無線カードの破損が原因であり、新しいカードと交換するだけで対処できるような場合には、無駄な保守点検の費用がかかってしまうことになる。
【発明の開示】
【発明が解決しようとする課題】
【０００８】  上述したように、従来のエレベータのセキュリティシステムでは、無線カードの認証や指紋認証に必要なデータを更新する場合に、ビル内に設置されたエレベータの各号機毎に、管理者と利用者が一緒に認証装置の設置場所に行き、そこで指紋パターンを登録するなどの面倒な作業を繰り返し行わなければならなかった。【０００９】  また、無線カードの認証や指紋認証に必要なデータを保持している制御装置が故障し、そのデータが消滅してしまうと、管理者と利用者が再びエレベータの各号機を回って指紋パターンを再登録するなどの復旧作業が必要であった。このため、管理者と利用者に多大な負担をかけると共に、復旧までにかなりの時間を要してしまうなどの問題があった。【００１０】  また、管理者側で無線カードが破損しているか否かを判断する方法がないため、異常が生じた場合に、その都度、保守会社へ連絡しなくてはならない。このため、無線カードの破損が原因であった場合に、無駄な保守点検の費用がかかってしまうなどの問題もあった。【００１１】  以上のような問題は、指紋認証に限られることではなく、その他のバイオメトリック認証（例えば、顔認証、虹彩認証、静脈認証、筆跡認証、筆跡認証、音声認証、掌形認証）にも共通するものである。【００１２】  本発明は上記のような点に鑑みなされたもので、認証に必要なデータの更新作業を簡単に行うことができ、管理者や利用者に負担をかけずに、ビルを安全に管理できるようにしたエレベータのセキュリティシステムを提供することを目的とする。
【課題を解決するための手段】
【００１３】  本発明のエレベータのセキュリティシステムは、エレベータを利用する乗客を認証するエレベータのセキュリティシステムにおいて、エレベータを利用する乗客によって所持され、その乗客の利用階情報が記憶された無線カードと、乗客のバイオメトリック情報を読み取る認証装置と、上記無線カードおよび上記認証装置による乗客の認証に必要なデータを記憶したデータベースを有し、このデータベースを参照して乗客を認証し、当該乗客の利用階情報に基づいてエレベータの行先階を制御する制御装置と、所定の操作により上記データベースを更新するためのデータを生成し、所定の場所で上記制御装置に接続された状態で上記更新データを上記制御装置に送信して上記データベースの内容を書き換える機能を備えた持ち運び可能な端末装置とを具備して構成される。【００１４】  このような構成によれば、例えば各階のホールにて乗客の持つ無線カードの情報とバイオメトリック情報が読み取られ、これらのデータが本システムの制御装置に送られる。制御装置では、その受信したデータをデータベースに予め各乗客毎に登録されたデータと比較検証してその乗客を認証する。そして、正規の乗客であると判定された場合に当該乗客の利用階情報に基づいてエレベータの行先階を制御する。【００１５】  ここで、新たな乗客のバイオメトリック情報を追加登録するなど、データベースを更新する必要があった場合に、まず、端末装置を用いてその更新データを生成してから、これを制御装置に送ることにより、上記データベースの内容を簡単に書き換えることができる。この場合、更新データは端末装置上で任意の場所で行うことができる。したがって、管理者と利用者（乗客）が一緒に各エレベータを回って更新作業を行う必要はなく、両者の負担が大幅に軽減される。【００１６】  また、本発明のエレベータのセキュリティシステムにおいて、上記端末装置は、上記データベースと同じデータを保持する記憶手段と、新たな乗客のバイオメトリック情報を上記記憶手段に登録する登録手段とを備え、所定の場所で上記制御装置に接続されたときに、上記登録手段によってバイオメトリック情報を登録した後の上記記憶手段のデータを更新データとして上記制御装置に送って上記データベースに反映させることを特徴とする。【００１７】  これにより、新たな乗客のバイオメトリック情報を端末装置内の記憶手段に登録した後、この端末装置を所定の場所で制御装置に接続することで、上記バイオメトリック情報を登録した後の記憶手段のデータ内容に合わせてデータベースを簡単に更新することができる。【００１８】  また、本発明のエレベータのセキュリティシステムにおいて、上記端末装置は、上記データベースと同じデータを保持する記憶手段と、既に登録された乗客のバイオメトリック情報を上記記憶手段から削除する削除手段とを備え、所定の場所で上記制御装置に接続されたときに、上記削除手段によってバイオメトリック情報を削除した後の上記記憶手段のデータを更新データとして上記制御装置に送って上記データベースに反映させることを特徴とする。【００１９】  これにより、既に登録された乗客のバイオメトリック情報を端末装置内の記憶手段から削除した後、この端末装置���所定の場所で制御装置に接続することで、上記バイオメトリック情報を削除した後の記憶手段のデータ内容に合わせてデータベースを簡単に更新することができる。【００２０】  また、本発明のエレベータのセキュリティシステムにおいて、上記端末装置は、上記データベースと同じデータを保持する記憶手段と、認証を禁止すべき無線カードの情報を上記記憶手段に設定するカード禁止手段とを備え、所定の場所で上記制御装置に接続されたときに、上記カード禁止手段による認証禁止設定後の上記記憶手段のデータを更新データとして上記制御装置に送って上記データベースに反映させることを特徴とする。【００２１】  これにより、例えば無線カードを紛失した場合において、その無線カードの情報を端末装置内の記憶手段に設定した後、この端末装置を所定の場所で制御装置に接続することで、上記バイオメトリック情報を削除した後の記憶手段のデータ内容に合わせてデータベースを簡単に更新することができる。【００２２】  また、本発明のエレベータのセキュリティシステムにおいて、上記端末装置は、上記データベースと同じデータを保持する記憶手段と、この記憶手段の中で管理者扱いにするデータを設定する管理者設定手段とを備え、所定の場所で上記制御装置に接続されたときに、上記管理者設定手段による管理者設定後の上記記憶手段のデータを更新データとして上記制御装置に送って上記データベースに反映させることを特徴とする。【００２３】  これにより、管理者扱いにするデータを端末装置内の記憶手段に設定した後、この端末装置を所定の場所で制御装置に接続することで、上記管理者設定後の記憶手段のデータ内容に合わせてデータベースを簡単に更新することができる。【００２４】  また、本発明のエレベータのセキュリティシステムにおいて、上記端末装置は、上記記憶手段に現在登録されている内容を所定の形式で画面上に表示する表示手段を備えていることを特徴とする。【００２５】  これにより、現在登録されている内容を端末装置の画面上で確認してから制御装置に送ってデータベースを更新することができる。【００２６】  また、本発明のエレベータのセキュリティシステムにおいて、上記端末装置は、上記制御装置に接続されていない状態で、異常検査の対象となる無線カードの情報を読み取り、その読み取り結果を検査結果として表示する表示手段を備えていることを特徴とする。【００２７】  これにより、管理者が端末装置を用いて無線カードの異常検査を行うことができる。したがって、無線カードの異常であれば、保守会社に連絡をしなくとも、カード交換だけで簡単に対処することができる。
【図面の簡単な説明】
【００２８】
【図１】図１は、本発明の一実施形態に係るエレベータのセキュリティシステムの構成を示すブロック図である。
【図２】図２は、同実施形態におけるエレベータのセキュリティシステムの一部を詳細に示したブロック図である。
【図３】図３は、同実施形態におけるビルの建物内の各エレベータの配置例を示す図である。
【図４】図４は、同実施形態におけるエレベータのセキュリティシステムに用いられる登録ユニットの外観構成を示す図である。
【図５】図５は、同実施形態におけるエレベータのセキュリティシステムに用いられる登録ユニットの内部構成を示すブロック図である。
【図６】図６は、同実施形態におけるエレベータのセキュリティシステムに用いられる登録ユニットによる指紋登録の手順を示すフローチャートである。
【図７】図７は、同実施形態におけるエレベータのセキュリティシステムに用いられる登録ユニットによる指紋削除の手順を示すフローチャートである。
【図８】図８は、同実施形態におけるエレベータのセキュリティシステムに用いられる登録ユニットによるカード禁止の手順を示すフローチャートである。
【図９】図９は、同実施形態におけるエレベータのセキュリティシステムに用いられる登録ユニットによる管理者登録の手順を示すフローチャートである。
【図１０】図１０は、同実施形態におけるエレベータのセキュリティシステムに用いられる登録ユニットによる情報表示の手順を示すフローチャートである。
【図１１】図１１は、同実施形態におけるエレベータのセキュリティシステムに用いられる登録ユニットによる設置階変更の手順を示すフローチャートである。
【図１２】図１２は、同実施形態の変形例に係るエレベータのセキュリティシステムの一部を詳細に示したブロック図である。
【発明を実施するための最良の形態】
【００２９】  以下、図面を参照して本発明の実施形態を説明する。【００３０】  図１は本発明の一実施形態に係るエレベータのセキュリティシステムの構成を示すブロック図である。この図１では、無線カードと指紋認証を併用した二重セキュリティシステムとしての構成が示されている。なお、指紋認証とは、バイオメトリック認証の最も定型的な例である。【００３１】  図１において、図中の１０１ａ〜１０１ｃはビル内の各階のホール（エレベータの乗り場）である。本システムでは、これらのホールにて無線カードと指紋認証を併用して、エレベータを利用する乗客を認証することにより、その乗客に対するエレベータの運行を制御している。なお、以後の説明の中で、乗客のことを利用者という呼び方をする場合もある。【００３２】  また、ここでは、３つのホールしか図示されていないが、さらに多数のホールがある場合にも、これらのホールに対して同様のセキュリティ構成がなされる。【００３３】  また、ここでは１つのエレベータに対する構成しか図示していないが、同様の構成がエレベータの各号機毎になされている。すなわち、図３に示すように、Ａ号機〜Ｄ号機の４台のエレベータが並設されたビルであれば、これらの４台のエレベータ毎に図１のように各階のホールに無線カードと指紋認証を併用した二重セキュリティシステムが構築されているものとする。【００３４】  ホール１０１ａ〜１０１ｃ内において、１０２ａ〜１０２ｃは無線カード、１０３ａ〜１０３ｃはアンテナ、１０４ａ〜１０４ｃは指紋認証装置（バイオメトリック認証装置）である。【００３５】  無線カード１０２ａ〜１０２ｃは、無線機能を備えた認証用のカードである。この無線カード１０２ａ〜１０２ｃには、利用階情報と認証情報が格納されている。利用階情報とは、乗客がエレベータを利用することのできる階を示した情報であり、ビルを出入りするために必要な２つの階（例えばマンションであれば、玄関ホールのある階と住居階）が指定されている。認証情報は、乗客を認証するのに必要な情報（乗客名など）の他に、各カード毎に固有のＩＤ情報（識別情報）を含む。【００３６】  なお、無線カード１０２ａ〜１０２ｃに適用される無線システムについては、特に限定されるものではなく、例えば一般的に知られているＢｌｕｅｔｏｏｔｈ（登録商標）等の近距離無線システムなどを用いるものとする。【００３７】  アンテナ１０３ａ〜１０３ｃは、ホール１０１ａ〜１０１ｃ内の所定の位置に設置されている。このアンテナ１０３ａ〜１０３ｃは、無線カード１０２ａ〜１０２ｃから無線電波にて発信される情報（利用階情報と認証情報）を受信する。このアンテナ１０３ａ〜１０３ｃにて受信されたカード情報は、通信ケーブルを介して後述するエレベータ各階ボックス内の無線・指紋共通制御装置１０６ａ〜１０６ｃに伝送される。【００３８】  一方、指紋認証装置１０４ａ〜１０４ｃは、指紋パターン（バイオメトリック情報）による認証を行うための装置である。この指紋認証装置１０４ａ〜１０４ｃは、ホール１０１ａ〜１０１ｃ内の所定の位置に指紋センサ画面を有し、そこに押し付けられた指先の指紋パターンを読み取って照合処理を行う。指紋パターンの照合後、その乗客に対応���た利用階情報と認証情報を同装置内に設けられた図示せぬデータベースから読み出し、これらの情報を通信ケーブルを介して後述するエレベータ各階ボックス内の無線・指紋共通制御装置１０６ａ〜１０６ｃに伝送する。【００３９】  なお、指紋認証装置１０４ａ〜１０４ｃにおける指紋パターンの読み取り方法やその照合方法についても特に限定されるものではなく、一般的に知られている方法を用いるものとする。【００４０】  また、同図において、１０５はエレベータの昇降路、１０６ａ〜１０６ｃは無線・指紋共通制御装置、１０７はエレベータインターフェース（Ｉ／Ｆ）、１０８はエレベータ制御盤、１０９は乗りかご、１１０はかご内スイッチである。１１１はメンテナンス用スイッチ類ボックス、１１２はテンキー、１１３〜１１６はメンテナンス用スイッチ類、１１７は無電圧接点エレベータ用インターフェース（Ｉ／Ｆ）、１１８ａ〜１１８ｃはエレベータ各階ボックス、１１９はＨＵＢ、１２０ａ〜１２０ｃはホール呼びボタンを示している。【００４１】  エレベータの各階ボックス１１８ａ〜１１８ｃ内には、無線カードと指紋認証装置を統合する無線・指紋共通制御装置１０６ａ〜１０６ｃが設置されている。なお、この無線・指紋共通制御装置１０６ａ〜１０６の具体的な構成とその詳しい動作については後に図２を参照して説明する。これらの無線・指紋共通制御装置１０６ａ〜１０６ｃは、ＨＵＢ１１９によって連結され、さらに、エレベータインターフェース１０７を介して主制御装置であるエレベータ制御盤１０８に接続されている。【００４２】  エレベータ制御盤１０８は、例えばビルの最上階の上にある機械室内に設置されており、エレベータ全体の運行制御を行う。このエレベータ制御盤１０８は、例えばホール呼びボタン１２０ａ〜１２０ｃの操作によって発信されるホール呼び信号を受信して乗りかご１０９をそのホール呼びに応答させるための制御を行う。また、このエレベータ制御盤１０８は、かご内スイッチ１１０の操作によって発信される行先階指定信号を受信して乗りかご１０９をその行先階へ移動させるなどの制御を行う。【００４３】  乗りかご１０９は、エレベータ制御盤１０８によって駆動制御される図示せぬ巻上機を介して昇降路１０５内を昇降動作する。この乗りかご１０９には、行先階を指定するためのスイッチ１１０が設けられている。【００４４】  また、例えば管理人室などにメンテナンス用スイッチ類ボックス１１１が設置されている。このメンテナンス用スイッチ類ボックス１１１には、テンキー１１２やメンテナンス用スイッチ類１１３〜１１６が設けられている。【００４５】  また、本システムには、これらの構成に加えて登録ユニット１３０が備えられている。この登録ユニット１３０は、無線カードを利用した認証や指紋認証に必要なデータの更新作業に用いられるものである。この登録ユニット１３０は、持ち運び可能な小型の端末装置からなり、管理者が所持している。なお、この登録ユニット１３０の構成については後に図３乃至図５を参照して説明する。【００４６】  ここで、本実施形態におけるエレベータのセキュリティシステムの構成について、図２を用いてさらに詳しく説明する。【００４７】  図２は上記図１���セキュリティシステムの一部を詳細に示したブロック図である。一例を説明するにあたり、例えばマンションなどのビルにおいて、４階と１階を利用する乗客Ａを想定する。４階はこの乗客Ａの住居階であり、１階は玄関ホールがある階であるとする。【００４８】  図２において、無線カード１０２ｃとアンテナ１０３ｃ、指紋認証装置１０４ｃは４階ホールに設置されている。また、無線・指紋認証共通制御装置１０６ｃは４階の昇降路内に設置されている。一方、無線カード１０２ａとアンテナ１０３ａ、指紋認証装置１０４ａは１階ホールに設置され、無線・指紋認証共通制御装置１０６ａは１階の昇降路内に設置されている。【００４９】  無線カード１０２ａ〜１０２ｃと指紋認証装置１０４ａ〜１０４ｃには、予め乗客の利用階を示す利用階情報と認証情報が格納されている。乗客Ａは、自身の利用階情報（４階と１階）と認証情報（カード番号等）を有する無線カードを持つ。これに対し、このビルの管理者は、マスターカードとして認証情報のみが格納された管理者専用の無線カードを持つ。【００５０】  乗客Ａが４階ホールに行くと、この乗客Ａの持つ無線カード１０２ｃの情報が無線電波にて発信され、４階ホールに設置されたアンテナ１０３ｃにより受信される。このアンテナ１０３ｃに受信されたカード情報は、４階ボックス１１８ｃ内に設置された無線・指紋共通制御装置１０６ｃに入り、認証部４００ｃへ送られる。【００５１】  認証部４００ｃでは、無線カード以外に指紋認証装置１０４ｃが設置されている場合には、指紋認証装置１０４ｃから認証結果として得られる乗客Ａの利用階情報と認証情報が送られてくるのを待つ。【００５２】  なお、本実施形態では、ホール側に設置された指紋認証装置１０４ａ〜１０４ｃにて乗客の指紋パターンの読み取りからその照合までも含めて行うようにしたが、別の構成あっても良い。すなわち、例えば指紋認証装置１０４ａ〜１０４ｃ側では乗客の指紋パターンの読み取りのみを行い、無線・指紋共通制御装置１０６ａ〜１０６ｃ側でその読み取った指紋パターンを受け取り、データベース２０３ａ〜２０３ｃに登録された指紋パターンと照らし合わせて照合処理するような構成であっても良い。【００５３】  また、本システムにおいて、無線カードだけで認証するか、指紋だけで認証するか、さらに、２つを組み合わせて無線カード＋指紋で認証するのかは、例えばシステム納品時に任意に選択することができる。この場合、無線カードによる認証に加えて指紋認証を行えば、セキュリティレベルは上がるものの、指紋パターンとの照合に時間がかかる。【００５４】  図２に戻って、認証部４００ｃでは、無線カード１０２ｃまたは指紋認証装置１０４ｃから得られた認証情報とデータベース２０３ｃに予め登録された認証情報とを比較して乗客Ａが誰であるのかを判断する。【００５５】  ここで、ビルの管理者であった場合には、利用階情報変換部４０１ｃにより管理者データ４１１ｃを生成する。管理者データ４１１ｃとは、管理者専用のオペレーションを指示するためのデータである。【００５６】  管理者でなかった場合つまり一般乗客者であった場合には、当該認証情報と共に得られた利用階情報とデータベース２０３ｃに記憶され���いる設置階とに基づいてホール呼び演算および行先階登録演算を行い、ホール呼び４０２ｃと行先階登録４０３ｃを生成する。この場合、上記利用階情報は乗客Ａの利用する４階と１階であり、上記設置階は４階である。したがって、ホール呼び４０２ｃとして４階、行先階登録４０３ｃとして１階といったデータが生成されることになる。【００５７】  なお、無線カードを紛失した場合において、そのカード番号を各階のデータベース２０３ａ〜２０３ｃに登録しておけば、その登録されたカード番号を有する無線カードが利用された際に、認証拒否データ４１０ａ〜４１０ｃにより当該無線カードを用いた認証を拒否することができる。【００５８】  利用階情報変換部４０１ｃによって生成されたホール呼び４０２ｃと行先階登録４０３ｃのデータまたは管理者データ４１１ｃは、送受信部４０５ｃを通じて１階の無線・指紋認証共通制御装置１０６ａへ送られる。無線・指紋認証共通制御盤１０６ａでは、送受信部４０５ａでこれらのデータを受取る。【００５９】  無線カード１０２ａと指紋認証装置１０４ａにおいての認証方法及び処理方法については無線カード１０２ｃと指紋認証装置１０４ｃと同じ動作なので、説明を省く。【００６０】  全ての階の情報が無線・指紋認証共通制御盤１０６ａ内の送受信部４０５ａを通り、エレベータ用データ生成部４０７へ送られる。ここでエレベータ制御用にまとめられ、エレベータ通信部４０８によりエレベータインターフェース１０７を介してエレベータ制御盤１０８へ情報が伝えられる。【００６１】  エレベータ制御盤１０８は、これらの情報を元に客先に応じたオペレーションを行う。すなわち、乗客Ａに対しては乗りかご１０９を４階ホールに応答させた後、そのかご内行先階登録を１階にして、乗客Ａを１階に直接に運ぶといった運行制御を行う。【００６２】  また、ビルの管理者の場合には、管理者のみ不停止解除のオペレーションを行えるようにし、ホール呼び及びかご内行先階登録が自由に行える状態に切り替える。これにより、管理者は複数枚のカードを持ち歩かなくとも、１枚のマスターカードだけを持ってビル内のすべての階へ自由に行くことができる。【００６３】  次に、本システムに用いられる登録ユニット１３０について、図３乃至図５を用いて説明する。【００６４】  図３はビルの建物内の各エレベータの配置例を示す図であり、図中の５００は建物、５０１はＡ号機のエレベータ、５０２はＢ号機のエレベータ、５０３はＣ号機のエレベータ、５０４はＤ号機のエレベータを示している。また、６１１は管理人室であり、そこに登録ユニット１３０が保管されている。【００６５】  無線カードや指紋の認証に必要なデータを更新する場合において、管理者は利用者を管理人室６１１に呼び、登録ユニット１３０を用いてデータ更新を行うか、あるいは、管理者が利用者の所へ登録ユニット１３０を持参し、そこでデータ更新を行うといった方法を採ることができる。【００６６】  更新後のデータは登録ユニット１３０内に保持される。したがって、管理者はこれをＡ号機のエレベータ５０１、Ｂ号機のエレベータ５０２、Ｃ号機のエレベータ５０３、Ｄ号機のエレベータ５０４のそれぞれに持ち込んで、登録ユニット１３０内の��ータを図１に示す各階の共通制御装置１０６ａ〜１０６ｃに送り、共通制御装置１０６ａ〜１０６ｃ内のデータベース２０３ａ〜２０３ｃに反映させる。【００６７】  この場合、管理者は各階毎に行かなくとも、ある特定の階（例えば１階）において、そのエレベータホールに設置されたコネクタに登録ユニット１３０を接続すれば、ＬＡＮケーブルを介して各階の共通制御装置１０６ａ〜１０６ｃに更新後のデータを一括して送り込むことができるようになっている。【００６８】  図４は本システムに用いられる登録ユニット１３０の外観構成を示す図である。【００６９】  この登録ユニット１３０は、持ち運び可能な小型の端末装置からなる。この登録ユニット１３０の操作面上には、画面表示部８０１、「指紋登録」ボタン８０２、「指紋削除」ボタン８０３、「カード禁止」ボタン８０４、「情報表示」ボタン８０５、「管理者」ボタン８１０、「設置階」ボタン８１１が設けられている。【００７０】  画面表示部８０１は、例えばＬＣＤ（Ｌｉｑｕｉｄ  Ｃｒｙｓｔａｌ  Ｄｉｓｐｌａｙ）からなり、データ登録作業に必要な各種データを表示する。「指紋登録」ボタン８０２は、指紋パターンを登録する場合に用いられる。「指紋削除」ボタン８０３は、指紋パターンを登録する場合に用いられる。「カード禁止」ボタン８０４は、無線カードを紛失した場合に、その無線カードを用いた認証を禁止する場合に用いられる。「管理者」ボタン８１０は、管理者登録を行う場合に用いられる。「設置階」ボタン８１１は、設置階登録を行う場合に用いられる。【００７１】  また、この登録ユニット１３０の本体側面には、電源８０６、テンキー８０７、アンテナ１０３ｋｎ、指紋認証装置（バイオメトリック認証装置）１０４ｋｎが接続される。これらは着脱可能であり、必要に応じて本体に装着することができる。【００７２】  また、この登録ユニット１３０の本体側面には、エレベータのＬＡＮケーブルに接続するためのコネクタ８１２が設けられている。【００７３】  図５は登録ユニット１３０の内部構成を示すブロック図であり、図４と同じ部分には同一符号を付して示してある。【００７４】  登録ユニット１３０は、各階のホール毎に設けられた無線・指紋共通制御装置１０６ａ〜１０６ｃと同様に、認証部４００ｋｎ、利用階情報変換部４０１ｋｎ、ホール呼び４０２ｋｎ、行先階登録４０３ｋｎ、管理者データ４１１ｋｎ、変換部４０５ｋｎ、認証拒否データ４１０ｋｎ、設置階４０９ｋｎ、データベース２０３ｋｎ、データ保守部４０５ｋｎなどを有する。その他、この登録ユニット１３０には、画面表示処理部８０８ｋｎおよびバッテリ回路８０９ｋｎが備えられている。【００７５】  バッテリ回路８０９ｋｎは、電源８０６の接続により充電される。充電後は登録ユニット１３０から電源８０６を取り外し、このバッテリ回路８０９ｋｎを駆動源として使用することができる。【００７６】  また、「指紋登録」ボタン８０２、「指紋削除」ボタン８０３、「カード禁止」ボタン８０４、「情報表示」ボタン８０５、「管理者」ボタン８１０、「設置階」ボタン８１１およびテンキー８０７は、データ保守部４０５ｋｎに接続されている。このデータ保守部４０６ｋｎは、これらのボタン��０２〜８１１の操作に関連した画面を画面表示処理部８０８ｋｎを介して画面表示部８０１に表示する。【００７７】  以下に、この登録ユニット１３０の動作について、（ａ）指紋登録、（ｂ）指紋削除、（ｃ）カード禁止、（ｄ）管理者登録、（ｅ）情報表示、（ｆ）設置階変更の各操作に分けて説明する。【００７８】  これらの操作は、図３で説明したように、管理者が利用者を管理人室８１１に呼んで行うか、あるいは、管理者が利用者の所へ登録ユニット１３０を持ち込んで行う。その際に、図４に示すように、登録ユニット１３０の本体側面にテンキー８０７を装着すると共に、必要に応じて指紋認証装置１０４ｋｎや無線カードのアンテナ１０３ｋｎを装着しておく。【００７９】  （ａ）指紋登録（バイオメトリック情報登録）
まず、指紋パターンを登録する場合について、図６を用いて説明する。【００８０】  図６は本システムの登録ユニット１３０による指紋登録の手順を示すフローチャートである。まず、図示せぬ電源ボタン等の操作により登録ユニット１３０の電源を投入すると、データ登録の初期画面が登録ユニット１３０の画面表示部８０１に表示される（ステップＡ１１）。【００８１】  この状態で、管理者が登録ユニット１３０の「指紋登録」ボタン８０２を押下操作すると（ステップＡ１２のＹｅｓ）、「指紋の登録を行います」といったメッセージ画面が表示される（ステップＡ１３）。そして、その１秒後、「登録番号を入力して下さい」といった画面に切り替わる（ステップＡ１４）。【００８２】  ここで、５２番目に指紋パターンを登録する場合を想定して説明する。なお、この登録番号は利用者が任意に選ぶことができる。エレベータの各階の無線・指紋共通制御装置１０６ａ〜１０６ｃには、この登録番号によって各利用者の情報（指紋パターンやカード番号など）が管理されている。【００８３】  管理者は５２番目に指紋登録を行うために、まず、登録ユニット１３０に接続されたテンキー８０７を用いて「５」、「２」、「＃」といったデータをキー入力する（ステップＡ１５）。これにより、「５２番目に指紋を登録します」といったような確認画面が表示される。そして、その１秒後に「テンキーで利用階を選択後、カードをスキャンしてから指紋認証装置に指を当てて下さい」といったメッセージ画面が表示される。この場合、例えば６階床のビルであれば、［１］［２］…［６］といったように６階床分の利用階状況が画面表示されることになる。【００８４】  今、利用階を１階と４階とすると、管理者はその利用階を登録するべく、テンキー８０７を用いて「１」、「＃」、「４」、「＃」といったデータのキー入力する（ステップＡ１８）。このキー入力に伴い、当該画面上の［１］［２］…［６］の部分のうち、［１］と［４］の背景色が変わる（ステップＡ１９）。これにより、１階と４階が利用階として選択されたことが分かる。もし、間違えたときには、「利用階＋＊」をテンキー８０７からキー入力することで取り消すことができる。【００８５】  利用階の選択後、利用者が持つ無線カード１０２ｋｎを登録ユニット１３０に接続されたアンテナ１０３ｋｎに近づける。これにより、この無線カード１０２ｋｎに登録されている認証情報（カード番号など）が読み取られて認証部４００ｋｎに一時的に保管される。また、登録ユニット１３０に接続された指紋認証装置１０４ｋのセンサ画面上に利用者の指を押し付ける。これにより、その指紋パターンが認証部４００ｋｎに送られて、上記認証情報と共に一時的に保管される（ステップＡ２０）。【００８６】  このようにして、利用者の認証情報と指紋パターンを読み取った後、管理者が「指紋登録」ボタン８０２を再度押下操作すると、上記選択された利用階情報（１階と４階）と上記認証部４００ｋｎに一時保管された認証情報と指紋パターンが登録ユニット１３０内のデータベース２０３ｋｎに登録される（ステップＡ２１）。その際、「５２番目に指紋を登録しました」といった完了通知画面が表示される（ステップＡ２２）。���００８７】  以下、同様の操作により、他の利用者の指紋パターンも続けて登録することができる。指紋パターンの登録後、管理者はこの登録ユニット１３０を図３に示す各号機のエレベータ５０１〜５０４に持ち込む。【００８８】  そして、これらのエレベータ５０１〜５０４毎に、特定の階（例えば１階）のホールにて登録ユニット１３０のコネクタ８１２にＬＡＮケーブルを接続することにより、この登録ユニット１３０内のデータベース２０３ｋｎに登録されたデータを上記ＬＡＮケーブルを介して各階の無線・指紋共通制御装置１０６ａ〜１０６ｃに送り込む。これにより、無線・指紋共通制御装置１０６ａ〜１０６ｃ内のデータベース２０３ａ〜２０３ｃの内容が更新されることになる。なお、このときのデータ更新の方法については、後に図２および図５を用いて詳しく説明する。【００８９】  （ｂ）指紋削除（バイオメトリック情報削除）
次に、指紋パターンを削除する場合について、図７を用いて説明する。【００９０】  図７は本システムの登録ユニット１３０による指紋削除の手順を示すフローチャートである。まず、図示せぬ電源ボタン等の操作により登録ユニット１３０の電源を投入すると、データ登録の初期画面が登録ユニット１３０の画面表示部８０１に表示される（ステップＢ１１）。【００９１】  この状態で、管理者が登録ユニット１３０の「指紋削除」ボタン８０３を押下操作すると（ステップＢ１２のＹｅｓ）、「登録番号を入力して下さい」といった画面が表示される（ステップＢ１３）。【００９２】  今、５２番目の指紋パターンを削除するものとして説明を進める。【００９３】  管理者は５２番目の指紋パターンを削除するために、まず、登録ユニット１３０に接続されたテンキー８０７を用いて「５」、「２」、「＃」といったデータをキー入力する（ステップＢ１４）。これにより、「５２番目の指紋を削除します」といったような確認画面が表示される（ステップＢ１５）。このとき、テンキー８０７から「＊」をキー入力すれば（ステップＢ１６）、指紋パターンの削除処理は行われず、ステップＢ１１の初期画面に戻る。【００９４】  また、テンキー８０７から「＃」をキー入力すると（ステップＢ１７）、データベース２０３ｋｎ内から５２番目に登録されている指紋パターンが検索され、その指紋パターンと当該指紋パターンと関連した認証情報、利用階情報がデータベース２０３ｋｎから削除される（ステップＢ１８）。その際に、「５２番目の指紋を削除しました」といった完了通知画面が表示される（ステップＢ１９）。【００９５】  以下、同様の操作により、他の指紋パターンを続けて削除することができる。この後、上記指紋パターンの登録時と同様に、管理者が各号機のエレベータ５０１〜５０４に登録ユニット１３０を持ち込んで、データベース２０３ｋｎのデータを各階の無線・指紋共通制御装置１０６ａ〜１０６ｃに送り込めば、無線・指紋共通制御装置１０６ａ〜１０６ｃ内のデータベース２０３ａ〜２０３ｃの内容を更新することができる。【００９６】  （ｃ）カード禁止
次に、無線カードを利用した認証を禁止する場合について、図８を用いて説明する。【００９７】  利用者が持つ無線カードには利用階情報と認証情報が登録されている。この無線カードを用いて認証を行うことで、利用者はエレベータに乗って上記利用階情報によって指定された階へ行くことかできる。したがって、無線カードを紛失した場合には、直ぐにその無線カードを無効化することが必要となる。この場合の操作も登録ユニット１３０を用いて行うことができる。【００９８】  図８は本システムの登録ユニット１３０によるカード禁止の手順を示すフローチャートである。まず、図示せぬ電源ボタン等の操作により登録ユニット１３０の電源を投入すると、データ登録の初期画面が登録ユニット１３０の画面表示部８０１に表示される（ステップＣ１１）。【００９９】  この状態で、管理者が登録ユニット１３０の「カード禁止」ボタン８０４を押下操作すると（ステップＣ１２のＹｅｓ）、「登録番号を入力して下さい」といった画面が表示される（ステップＣ１３）。【０１００】  今、５２番目の無線カードを利用した認証を禁止するものとして説明を進める。【０１０１】  管理者は５２番目の無線カードを無効化するために、まず、登録ユニット１３０に接続されたテンキー８０７を用いて「５」、「２」、「＃」といったデータをキー入力する（ステップＣ１４）。これにより、「５２番目の無線カード利用を禁止します」といったような確認画面が表示される（ステップＣ１５）。このとき、テンキー８０７から「＊」をキー入力すれば（ステップＣ１６）、無線カードの禁止処理は行われず、ステップＣ１１の初期画面に戻る。【０１０２】  また、テンキー８０７から「＃」をキー入力すると（ステップＣ１７）、この５２番目の無線カードの識別情報（カード番号）が認証拒否データ４１０ｋｎとしてデータベース２０３ｋｎに登録される（ステップＣ１８）。その際、「５２番目の無線カードは利用できなくなりました」といった完了通知画面が表示される（ステップＣ１９）。【０１０３】  以下、同様の操作により、他の無線カードも続けて無効化することができる。この後、上記指紋パターンの登録時と同様に、管理者が各号機のエレベータ５０１〜５０４に登録ユニット１３０を持ち込んで、データベース２０３ｋｎのデータを各階の無線・指紋共通制御装置１０６ａ〜１０６ｃに送り込めば、無線・指紋共通制御装置１０６ａ〜１０６ｃ内のデータベース２０３ａ〜２０３ｃの内容を更新することができる。【０１０４】  これにより、例えば１階で無効化された無線カードが使われた場合には、データベース２０３ａの認証拒否データ４１０ａにより当該カードの認証を拒否して、他人が不正にビル内に入り込むことを防ぐことができる。【０１０５】  （ｄ）管理者登録
次に、管理者登録を行う場合について、図９を用いて説明する。【０１０６】  無線カードに登録された利用階情報に基づいて利用者の行先階を自動登録する構成とした場合に、管理者については、１枚の無線カード（マスターカード）にて全ての階に自由に行けるように、エレベータのオペレーションを一般の乗客とは異なるように切り替える必要がある。この場合、予め管理者であることを登録しておく必要があり、その登録操作も登録ユニット１３０を用いて行うことができる。【０１０７】  図９は本システムの登録ユニット１３０による管理者登録の手順を示すフローチャートである。まず、図示せぬ電源ボタン等の操作により登録ユニット１３０の電源を投入すると、データ登録の初期画面が登録ユニット１３０の画面表示部８０１に表示される（ステップＤ１１）。【０１０８】  この状態で、管理者が登録ユニット１３０の「管理者」ボタン８１０を押下操作すると（ステップＤ１２のＹｅｓ）、「登録番号を入力して下さい」といった画面が表示される（ステップＤ１３）。【０１０９】  ここで、５２番目のデータを管理者扱いとする場合において、管理者は登録ユニット１３０に接続されたテンキー８０７を用いて「５」、「２」、「＃」といったデータをキー入力する（ステップＤ１４）。これにより、データベース２０３ｋｎ内の５２番目のデータが検索され、そのデータが既に管理者登録されているかどうかが判断される（ステップＤ１５）。【０１１０】  ５２番目のデータが既に管理者として登録されている場合には（ステップＤ１５のＹｅｓ）、「既に管理者登録されています。管理者から外しますか？」といったような確認画面が表示される（ステップＤ１６）。管理者のままでよい場合には、テンキー８０７から「＊」をキー入力すると、そのままステップＤ１１の初期画面に戻る。【０１１１】  管理者扱いから外す場合には、テンキー８０７から「＃」をキー入力することにより（ステップＤ１８）、データベース２０３ｋｎ内の５２番目のデータが管理者扱いから外される（ステップＤ１９）。その際、「管理者から外しました」といったメッセージ画面が表示されて（ステップＤ２０）、ステップＤ１１の初期画面に戻る。【０１１２】  また、上記ステップＤ１５において、５２番目のデータが管理者登録されていない場合には、「５２番目のデータを管理者登録します」といったような確認画面が表示される（ステップＤ２１）。管理者登録を中止する場合には、テンキー８０７から「＊」をキー入力すれば（ステップＤ２２）、ステップＤ１１の初期画面に戻る。【０１１３】  また、テンキー８０７から「＃」をキー入力すると（ステップＤ２３）、データベース２０３ｋｎ内の５２番目のデータが管理者扱いとして登録される（ステップＤ２４）。その際に、「管理者として登録しました」といった完了通知画面が表示される（ステップＤ２５）。【０１１４】  このようにして、登録ユニット１３０に管理者登録を行った後、上記指紋パターンの登録時と同様に、管理者が各号機のエレベータ５０１〜５０４に登録ユニット１３０を持ち込んで、データベース２０３ｋｎのデータを各階の無線・指紋共通制御装置１０６ａ〜１０６ｃに送り込めば、無線・指紋共通制御装置１０６ａ〜１０６ｃ内のデータベース２０３ａ〜２０３ｃの内容を更新することができる。これにより、以後、５２番目のデータを管理者扱いとして、各号機のエレベータ５０１〜５０４を管理者専用のオペレーションに切り替えて運転することができる。【０１１５】  （ｅ）情報表示
次に、情報表示を行う場合について、図１０を用いて説明する。【０１１６】  登録する数が多くなると、どのような情報が現在登録されているのかを確認したくなる。このような場合に、登録ユニット１３０の「情報表示」ボタン８０５を押下操作すると、現在の登録情報が表示されるようになっている。【０１１７】  図１０は本システムの登録ユニット１３０による情報表示の手順を示すフローチャートである。まず、図示せぬ電源ボタン等の操作により登録ユニット１３０の電源を投入すると、データ登録の初期画面が登録ユニット１３０の画面表示部８０１に表示される（ステップＥ１１）。【０１１８】  この状態で、管理者が登録ユニット１３０の「情報表示」ボタン８０５を押下操作すると（ステップＥ１２のＹｅｓ）、図示のような情報表示画面が表示される（ステップＥ１３）。この情報表示画面は登録ユニット１３０内のデータベース２０３ｋｎに現在登録されている情報を所定の形式で表したものであり、各登録番号に対応させて利用階情報が所定件数分表示されている。【０１１９】  例えば、登録番号「１」は１階と２階が利用階、登録番号「２」は１階と４階が利用階、登録番号「３」は１階と３階が利用階として登録されていることが画面上で一目でわかるようになっている。また、管理者の場合には「管理者設定」と表示される。この例では、登録番号「４」が管理者として設定されている。【０１２０】  また、テンキー８０７の「＃」キーを入力することで（ステップＥ１４）、次の画面が表示され（ステップＥ１５）、「＊」キーを入力することで（ステップＥ１６）、前の画面が表示される（ステップＥ１３）。【０１２１】  また、情報表示画面が表示されている状態で、「情報表示」ボタン８０５を再度押下操作すると（ステップＥ１６）、元のデータ登録の初期画面が表示される（ステップＥ１１）。【０１２２】  このように、登録ユニット１３０に現在登録されている情報を画面上に表示することにより、例えば登録内容に誤りがないか否かを確認した上で、各階の無線・指紋共通制御装置１０６ａ〜１０６ｃに送ってデータ更新を行うことができる。【０１２３】  （データ更新方法）
ここで、管理者が登録ユニット１３０を用いて、データベース２０３ａ〜２０３ｃの内容を更新する場合について説明する。【０１２４】  上述したように、登録ユニット１３０を用いて指紋パターンの登録等の操作を行った後、管理者は特定の階（例えば１階）のホールへ行き、そのホールの所定場所に配設されているＬＡＮケーブルを登録ユニット１３０のコネクタ８１２に接続する。このＬＡＮケーブルの先は図１に示すようにＨＵＢ１１９に接続されており、このＨＵＢ１１９には各階の無線・指紋共通制御装置１０６ａ〜１０６ｃが接続されている。【０１２５】  登録ユニット１３０のコネクタ８１２にＬＡＮケーブルを接続すると、図５に示す登録ユニット１３０内の送受信部４０５ｋｎがその状態を認識して、データ保守部４０６ｋｎに登録ユニット１３０がシステムに接続したことを伝える。データ保守部４０６ｋｎは、これを受けて特定の階（例えば１階）の無線・指紋共通制御装置１０６ａ内のデータ保守部４０６ａと通信を開始する準備を行う。【０１２６】  上記無線・指紋共通制御装置１０６ａ内のデータ保守部４０６ａはデータ更新の受け入れ体制が整った段階で、データ保守部４０６ｋｎに受け入れ許可信号を出す。データ保守部４０６ｋｎはこの受け入れ信号を受けると、データベース２０３ｋｎの内容をデータ保守部４０６ａへ送信する。データ保守部４０６ａは、このデータを受信してデータベース２０３ａの内容更新を行う。その後、データ保守部４０６ａは他の階に設置されている無線・指紋共通制御装置１０６ｂ、１０６ｃなどやり取りすることで、最終的に全ての階の無線・指紋共通制御装置内のデータベースを当該登録ユニット１３０のデータベース内容に合わせて更新する。【０１２７】  このように、特定の階で登録ユニット１３０をＬＡＮケーブルに接続することにより、各階の無線・指紋共通制御装置１０６ａ〜１０６ｃ内のデータベース２０３ａ〜２０３ｃを登録ユニット１３０に保持されたデータ内容に合わせて更新することができる。これを図３に示す各号機のエレベータ５０１〜５０４に対して同様に行うことでデータ更新作業が完了する。【０１２８】  この場合、データ更新のために各号機のエレベータ５０１〜５０４に行くのは管理者だけで良いため、利用者に負担をかけることはない。また、各号機のエレベータ５０１〜５０４にて管理者が行う作業についても、上述したように登録ユニット１３０をＬＡＮケーブルに接続する程度の簡単なものであり、そこで面倒な作業を行う必要はないため、管理者の負担も少なくて済む。【０１２９】  （カード破損確認）
ところで、運用時に無線カードに登録されている情報が読めなくなる場合がある。従来、その原因が無線カード側にあるのか、システム側にあるのか判断がつかなかったために保守会社に連絡していたが、本発明の登録ユニット１３０を用いれば、その原因を簡単に調べることができる。【０１３０】  すなわち、図５に示すように、無線カード１０２ｋｎをアンテナ１０３ｋｎに近づけると、この無線カード１０２ｋｎが正常であれば、認証部４００ｋｎへ認証情報と利用階情報が送られる。認証された場合、利用階情報変換部４０１ｋｎにより、データベース２０３ｋｎから設置階４０９ｋｎの情報を得て、ホール呼び４０２ｋｎ、行先階登録４０３ｋｎ、管理者データ４１１ｋｎが生成され、送受信部４０５ｋｎへ送られる。【０１３１】  ここで、登録ユニット１３０がシステムに接続されていない状態であれば、送受信部４０５ｋｎはホール呼び４０２ｋｎ、行先階登録４０３ｋｎ、管理者データ４１１ｋｎを画面表示処理部８０８ｋｎへ送ることになる。これにより、画面表示処理部８０８ｋｎはこれらの情報を画面表示部８０１に表示することになる。このとき、もし無線カード１０２ｋｎが壊れていれば、上記画面表示部８０１には何も表示されない。したがって、異常原因が無線カード側にあると判断することができる。【０１３２】  （ｆ）設置階変更
ホール呼び４０２ｋｎ、行先階登録４０３ｋｎ、管理者データ４１１ｋｎを生成するためには、データベース２０３ｋｎ内に設置階４０９ｋｎの情報が必要となる。登録ユニット１３０では、この設置階情報も任意に変更することができる。【０１３３】  図１１は本システムの登録ユニット１３０による設置階変更の手順を示すフローチャートである。まず、図示せぬ電源ボタン等の操作により登録ユニット１３０の電源を投入すると、データ登録の初期画面が登録ユニット１３０の画面表示部８０１に表示される（ステップＦ１１）。【０１３４】  この状態で、管理者が登録ユニット１３０の「管理者」ボタン８１０を押下操作すると（ステップＦ１２のＹｅｓ）、登録ユニット１３０内のデータベース２０３ｋｎから設置階情報が読み出される（ステップＦ１３）。今、設置階情報として１階が登録されているものとすると、「設置階を変更します。現在は１階です」といったようなメッセージ画面が表示される（ステップＦ１４）。このメッセージ画面の表示により、管理者は現在の設置階を判断できる。【０１３５】  ここで、例えば４階に変更するものとすると、管理者は登録ユニット１３０に接続されたテンキー８０７を用いて「４」、「＃」といったデータをキー入力する（ステップＦ１５）。これにより、データベース２０３ｋｎ内の設置階情報が１階から４階に変更処理され（ステップＦ１６）、「設置階を４階に変更しました」といった完了通知画面が表示される（ステップＦ１７）。【０１３６】  このように、登録ユニット１３０内の設置階を任意に変更することができる。したがって、運用時、例えば４階の利用者から無線カードの間合せがあった場合には、設置階を４階に変更してホール呼び４０２ｋｎ、行先階登録４０３ｋｎ、管理者データ４１１ｋｎの各情報を生成して画面表示してみれば、当該無線カードが正常であるか否かを調べることができる。【０１３７】  以上説明したように、本発明の登録ユニット１３０を用いれば、図３に示すようにビル内に複数台のエレベータ５０１〜５０４がある場合において、予め管理人室６１１などに利用者を呼んで、データ更新に必要なデータ（指紋パターンなど）を登録ユニット１３０に登録しておけば、管理者がこの登録ユニット１３０をエレベータ５０１〜５０４に持ち込むだけで、簡単にデータ更新を行うことができる。【０１３８】  この場合、利用者の数が多くても、登録ユニット１３０は１つがあれば対応することができる。さらに、登録ユニット１３０内のデータベース２０３ｋｎに最新の情報が必ず残る形となる。したがって、何らかの原因でシステム側の共通制御装置が破損し、データが消滅したとしても、交換した共通制御装置に簡単に最新情報を反映させることができる。【０１３９】  また、登録ユニット１３０を用いて無線カードが正常に動作しているかを確認することができる。したがって、カード情報が読めなかった場合に、その原因が無線カードでなかったときに保守会社に連絡して保守員を呼ぶことで、不要な保守費用を削減することができる。【０１４０】  なお、本システムは、例えば図１２に示すように変形することが可能である。すなわち、図２のブロック図におけるアンテナ１０３ａ，１０３ｃおよび指��認証装置１０４ａ，１０４ｃからの情報を入力する設置階付加部１４０ａ，１４０ｃと、これらの設置階付加部１４０ａ，１４０ｃからの出力信号を入力する設置階判定部１４１を設けている。【０１４１】  設置階付加部１４０ａ，１４０ｃは、アンテナ１０３ａ，１０３ｃと指紋認証装置１０４ａ，１０４ｃから送られてくる認証情報に対して、設置階付加部１４０ａ，１４０ｃが設置されている設置階の情報を付加する機能を有する。これらの認証情報と設置階情報は無線・指紋共通制御装置１０６内の設置階判定部１４１に送られることにより、当該認証情報がどこの階から出力された情報なのかを判断することができる。これによって、認証部４００ａでは、認証情報の内容とその認証情報の発生源である階を把握できるため、エレベータの呼びを的確に行うことができる。【０１４２】  すなわち、図２において用いられた無線・指紋共通制御装置１０６ｃを省略し、この機能を無線・指紋共通制御装置１０６ａ側に持たせることができるようになる。【０１４３】  なお、上記各実施形態では、各階のエレベータホールに無線カードリーダや指紋認証装置が設置された場合を想定して説明したが、これらが各エレベータのかご内に設置されている場合であっても同様であり、上記登録ユニット１３０を用いて簡単にデータ更新作業を行うことができる。【０１４４】  また、本発明はバイオメトリック認証に属するあらゆる情報（バイオメトリック情報）を用いる場合に有効である。具体的には、顔認証、虹彩認証、静脈認証、筆跡認証、筆跡認証、音声認証、掌形認証などの形で実施することが可能である。【０１４５】  なお、さらなる特徴及び変更は、当該技術分野の当業者には着想されるところである。それ故に、本発明はより広い観点に立つものであり、特定の詳細な及びここに開示された代表的な実施例に限定されるものではない。【０１４６】  したがって、添付された請求項に定義された広い発明概念及びその均等物の解釈と範囲において、そこから離れること無く、種々の変更を行うことができる。
【産業上の利用可能性】
【０１４７】  本発明によれば、端末装置を用いて更新用のデータを生成しておけば、その端末装置をシステム側の制御装置に接続するだけで、簡単に制御装置内のデータベースの内容を更新することができる。【０１４８】  この場合、端末装置が１つあれば、利用者の数が多くても１回の登録作業で済み、従来のように管理者と利用者全員が各エレベータを回って、その都度、同じデータ更新作業を繰り返すといったような面倒な作業が不要となり、管理者と利用者の負担が大幅に軽減される。【０１４９】  また、端末装置内に最新の情報が必ず残る形となるので、例えばシステム側の制御装置が破損し、データベース内のデータが紛失しても、この端末装置を用いて簡単に復旧することができる。【０１５０】  また、無線カード内の情報が読めなくなる異常については、そのカード情報を端末装置に読み込ませてみるだけで、当該無線カードが正常に動作しているかを簡単に確認することできる。よって、無線カードの破損が原因であった場合に、保守会社に連絡しなくともカード交換だけで対処でき、無駄な保守点検の費用をかけずに済む。
【図１】
2005040023.tif 000002
【図２】
2005040023.tif 000003
【図３】
2005040023.tif 000004
【図４】
2005040023.tif 000005
【図５】
2005040023.tif 000006
【図６】
2005040023.tif 000007
【図７】
2005040023.tif 000008
【図８】
2005040023.tif 000009
【図９】
2005040023.tif 000010
【図１０】
2005040023.tif 000011
【図１１】
2005040023.tif 000012
【図１２】
2005040023.tif 000013
【国際調査報告】
2005040023.tif 000014
2005040023.tif 000015
2005040023.tif 000016
2005040023.tif 000017